(57)【要約】【課題】  被覆を剥く作業や、圧着端子を取り付ける作業を不要にできるようにする。【解決手段】  端子台本体１の前面に、ケーブル差込穴２を設け、その奥側端面の中央部に、導電性テープ７を個別に接続した芯線挿入用ニードル３を前方へ突出させて設ける。各ケーブル差込穴２の天井面に、端子台本体１の上面に貫通する貫通孔４を設ける。蓋部材５の下面における端子台本体１の各貫通孔４と対応する位置に、ニードル形状のケーブル被覆係止部材６を設け、導電性テープ７の上端部７ａを接続する。端子台本体１の各ケーブル差込穴２に、各計装用ケーブル８を奥側につき当たるまで差し込み、ケーブル芯線９に芯線挿入用ニードル３を挿入させて接触させ、この状態で、蓋部材５を端子台本体１の上面に載置して、各貫通孔４に挿通させたケーブル被覆係止部材６の下端部を、各計装用ケーブル８の被覆１０を貫通させてケーブル芯線９に刺し込ませる。【選択図】図１
2010040419.tif 000002
【特許請求の範囲】
【請求項１】
端子台本体の前面側に、接続対象となるケーブルの端部を差し込むための複数個のケーブル差込穴を横方向に所要間隔で配列して設け、該各ケーブル差込穴の奥側端面に、該各ケーブル差込穴に差し込むケーブルの端末の芯線に挿入させるための導体製の芯線挿入部材をそれぞれ前向きに設けて、該各芯線挿入部材に、導電性部材を接続し、且つ上記各ケーブル差込穴の天井面に、ケーブル差込穴の内外を貫通させる貫通孔をそれぞれ設け、更に、上記端子台の上面に載置するための蓋部材の下面における上記各貫通孔と対応する各位置に、上記各貫通孔に挿入して下端部を各ケーブル差込穴に差し込まれるケーブルの被覆に食い込ませるためのケーブル被覆係止部材をそれぞれ設けてなる構成を有することを特徴とする端子台装置。
【請求項２】
ケーブル差込穴を、接続対象となるケーブルの外径と同等か又はわずかに大きい円に外接する多角形状とした請求項１記載の端子台装置。
【請求項３】
芯線挿入部材を、端子台本体の各ケーブル差込穴の奥側端面の中央部より該ケーブル差込穴の軸心位置に沿って前方へ所要寸法突出し、且つ先端部が尖ったニードル形状となるようにした請求項１又は２記載の端子台装置。
【請求項４】
ケーブル被覆係止部材を、導体製で且つ下端が尖ったニードル形状として、該各ケーブル被覆係止部材の下端部が、上記端子台本体の各ケーブル差込穴に差し込まれているケーブルの被覆を貫通してケーブル芯線に刺し込まれるようにし、更に、上記各ケーブル被覆係止部材に、対応するケーブル差込穴に設けてある芯線挿入部材に接続してある導電性部材を個別に接続するようにした請求項１、２又は３記載の端子台装置。
【発明の詳細な説明】
【技術分野】
【０００１】
本発明は、各種計装用機器の計装用ケーブル等のケーブルを接続するために用いる端子台装置に関するものである。
【背景技術】
【０００２】
各種のプラント等にて様々な計装用機器に配線される計装用ケーブル同士を接続する場合、ジャンクションボックスの端子台を介した接続が広く一般的に行われている。
【０００３】
上記計装用ケーブルのようなケーブルをジャンクションボックスの端子台に接続する場合、通常は、ケーブル端末の被覆を剥いて芯線を露出させた後、該被覆が剥離されたケーブル端末に、丸型やＹ型の圧着端子を取り付けた後、該丸型やＹ型の圧着端子を端子台にねじ止めしたり、あるいは、上記と同様に被覆が剥離されたケーブル端末に、棒型の圧着端子を取り付けて、該棒型の圧着端子を差込式の端子台に差し込むようにして接続する手法が採られている（たとえば、特許文献１参照）。
【０００４】
【特許文献１】特開２００３−３４６９４１号公報
【発明の開示】
【発明が解決しようとする課題】
【０００５】
ところが、上記圧着端子使用する場合、ケーブルを端子台に接続するための前処理として、ケーブル端末の被覆を剥く作業や、ケーブル端末に圧着端子を取り付ける作業が必要とされるため、手間及び時間が掛かるというのが実状である。
【０００６】
更に、芯線を傷つけないようにケーブル端末の被覆を剥く作業や、圧着端子をかしめてケーブル端末に取り付ける作業を確実に行なうためには、専用の工具や、作業者の技量が必要とされるため、専用の工具がない場合や、たとえ専用の工具があっても該工具の使用に十分に習熟していない等、作業者の技量が低い場合は、端子とケーブル芯線が接触しないことがあり、このことに起因して、作業が予定通りに進まない等の種々の問題が生じる虞が懸念される。
【０００７】
そこで、本発明は、ケーブル端末の被覆を剥く作業や、圧着端子の取り付け作業を不要にできて、作業者の技量が低くてもケーブルの接続を容易に且つ確実に行なうことができる端子台装置を提供しようとするものである。
【課題を解決するための手段】
【０００８】
本発明は、上記課題を解決するために、請求項１に対応して、端子台本体の前面側に、接続対象となるケーブルの端部を差し込むための複数個のケーブル差込穴を横方向に所要間隔で配列して設け、該各ケーブル差込穴の奥側端面に、該各ケーブル差込穴に差し込むケーブルの端末の芯線に挿入させるための導体製の芯線挿入部材をそれぞれ前向きに設けて、該各芯線挿入部材に、導電性部材を接続し、且つ上記各ケーブル差込穴の天井面に、ケーブル差込穴の内外を貫通させる貫通孔をそれぞれ設け、更に、上記端子台の上面に載置するための蓋部材の下面における上記各貫通孔と対応する各位置に、上記各貫通孔に挿入して下端部を各ケーブル差込穴に差し込まれるケーブルの被覆に食い込ませるためのケーブル被覆係止部材をそれぞれ設けてなる構成を有する端子台装置とする。
【０００９】
又、上記構成におけるケーブル差込穴を、接続対象となるケーブルの外径と同等か又はわずかに大きい円に外接する多角形状とした構成とする。
【００１０】
更に、上記各構成における芯線挿入部材を、端子台本体の各ケーブル差込穴の奥側端面の中央部より該ケーブル差込穴の軸心位置に沿って前方へ所要寸法突出し、且つ先端部が尖ったニードル形状となるようにした構成とする。
【００１１】
更に又、上記各構成におけるケーブル被覆係止部材を、導体製で且つ下端が尖ったニードル形状として、該各ケーブル被覆係止部材の下端部が、上記端子台本体の各ケーブル差込穴に差し込まれているケーブルの被覆を貫通してケーブル芯線に刺し込まれるようにし、更に、上記各ケーブル被覆係止部材に、対応するケーブル差込穴に設けてある芯線挿入部材に接続してある導電性部材を個別に接続するようにした構成とする。
【発明の効果】
【００１２】
本発明の端子台装置によれば、以下のような優れた効果を発揮する。  
（１）端子台本体の前面側に、接続対象となるケーブルの端部を差し込むための複数個のケーブル差込穴を横方向に所要間隔で配列して設け、該各ケーブル差込穴の奥側端面に、該各ケーブル差込穴に差し込むケーブルの端末の芯線に挿入させるための導体製の芯線挿入部材をそれぞれ前向きに設けて、該各芯線挿入部材に、導電性部材を接続し、且つ上記各ケーブル差込穴の天井面に、ケーブル差込穴の内外を貫通させる貫通孔をそれぞれ設け、更に、上記端子台の上面に載置するための蓋部材の下面における上記各貫通孔と対応する各位置に、上記各貫通孔に挿入して下端部を各ケーブル差込穴に差し込まれるケーブルの被覆に食い込ませるためのケーブル被覆係止部材をそれぞれ設けてなる構成としてあるので、接続対象となるすべてのケーブルを端子台本体の各ケーブル差込穴にそれぞれ差し込んだ後、該端子台本体の各貫通孔に蓋部材の各ケーブル被覆係止部材を挿入させるようにして該蓋部材を上記端子台本体の上面に接するように配置するという作業のみで、上記各計装用ケーブルを、そのケーブル芯線をそれぞれ対応するケーブル差込穴の内部に設けてある各芯線挿入部材に確実に接触させた状態で端子台本体に接続することができる。  
（２）したがって、上記各ケーブルを端子台本体に接続する際、各ケーブルのケーブル端末の被覆を剥く作業や、圧着端子をケーブル端末に取り付ける作業を不要にできて、上記端子台本体に対する各ケーブルの接続作業を非常に容易なものとすることができるため、該接続作業を作業者の技量に依存することなく行わせることができて、接続作業に要する手間及び時間を大幅に削減することができる。よって、作業が予定通りに進まない等の種々の問題が生じる虞を未然に防止することが可能となる。  
（３）ケーブル差込穴を、接続対象となるケーブルの外径と同等か又はわずかに大きい円に外接する多角形状とした構成とすることにより、各ケーブル差込穴の角部に、接続対象となるケーブルの外周面との隙間を形成させることができ、該各隙間にて、上記ケーブルの断面形状の多少の変形を許容することで、各ケーブル差込穴に対してケーブルを差し込む作業を容易なものとすることができる。  
（４）芯線挿入部材を、端子台本体の各ケーブル差込穴の奥側端面の中央部より該ケーブル差込穴の軸心位置に沿って前方へ所要寸法突出し、且つ先端部が尖ったニードル形状となるようにした構成とすることにより、各ケーブル差込穴に、接続対象となる各ケーブルを奥側に突き当たるまで差し込むという作業によって、該各ケーブルの端末の中央部に露出されているケーブル芯線に対して各ケーブル差込穴に設けてある各芯線挿入部材を挿入させることができて、該各芯線挿入部材と各ケーブルのケーブル芯線とを通電可能に接触させる作業を容易に行うことができる。  
（５）ケーブル被覆係止部材を、導体製で且つ下端が尖ったニードル形状として、該各ケーブル被覆係止部材の下端部が、上記端子台本体の各ケーブル差込穴に差し込まれているケーブルの被覆を貫通してケーブル芯線に刺し込まれるようにし、更に、上記各ケーブル被覆係止部材に、対応するケーブル差込穴に設けてある芯線挿入部材に接続してある導電性部材を個別に接続するようにした構成とすることにより、端子台本体の各貫通孔に挿入させる蓋部材側の各ケーブル被覆係止部材によっても上記端子台本体の各ケーブル差込穴に差し込まれるケーブルのケーブル芯線との通電を確保することができて、各ケーブルの端子台本体に対する接続の確実性をより高めることが可能になる。
【発明を実施するための最良の形態】
【００１３】
以下、本発明を実施するための最良の形態を図面を参照して説明する。
【００１４】
図１（イ）（ロ）（ハ）は本発明の端子台装置の実施の一形態として、接続対象となるケーブルとして、より線のケーブル芯線を備えた計装用ケーブルの接続に適用する場合を示すもので、以下のような構成としてある。
【００１５】
すなわち、所要の前後寸法及び高さ寸法を有し、且つ左右方向（横方向）に所要寸法延びる矩形のブロック形状としてある端子台本体１の前面に、接続対象となるケーブルとしての計装用ケーブル８の外径寸法に対応したサイズ、たとえば、対辺間の寸法を計装用ケーブル８の外径寸法と同等か又はわずかに大きい寸法とした方形のケーブル差込穴２を、所要の奥行き寸法となるようにして、端子台本体１の左右方向に所要間隔で所望する計装用ケーブル８の接続本数に対応した数で配列して設ける。
【００１６】
上記各ケーブル差込穴２の奥側端面の中央位置には、計装用ケーブル８のケーブル芯線９に挿し入れて導通を確保するための導体製の芯線挿入部材としての先端の尖った芯線挿入用ニードル３を、それぞれ対応するケーブル差込穴２の軸心位置に沿って前方へ所要寸法突出させて設ける。上記各ケーブル差込穴２の上面（天井面）における上記芯線挿入用ニードル３の先端部よりもやや手前側で且つ左右方向の中央位置には、後述するケーブル被覆係止部材６の水平断面形状に対応した形状で端子台本体１の上面まで内外方向（上下方向）に貫通する貫通孔４をそれぞれ設ける。
【００１７】
更に、上記端子台本体１の平面形状に対応した矩形板状として、該端子台本体１の上面に載置できるようにしてある蓋部材５を備え、且つ該蓋部材５の下面における上記端子台本体１に設けた各貫通孔４と個別に対応する左右方向所要間隔個所に、上記端子台本体１の各貫通孔４に挿通させて下端側をそれぞれ対応するケーブル差込穴２の内側へ所要寸法突出させるためのケーブル被覆係止部材６をそれぞれ設ける。上記各ケーブル被覆係止部材６の下端部は、ニードル形状や楔形状等、対応するケーブル差込穴２に差し込まれている計装用ケーブル８の被覆１０に上方から押し付けることで、該被覆１０に食い込ませることができるような形状とする。
【００１８】
具体的には、上記各ケーブル被覆係止部材６は、たとえば、導体製で且つ下端の尖ったニードル形状とすると共に、上記蓋部材５を上記端子台本体１の上面に載置する状態のときに、該端子台本体１の各貫通孔４に挿通させる該各ケーブル被覆係止部材６の下端部が、各ケーブル差込穴２の軸心位置付近まで突出するような上下方向寸法としてある。これにより、上記端子台本体１の各ケーブル差込穴２に計装用ケーブル８をそれぞれ差し込んだ状態にて、上記蓋部材５を上記端子台本体１の上面に接するように配置することで、上記端子台本体１の各貫通孔４に挿通させる上記各ケーブル被覆係止部材６の下端部を、上記各ケーブル差込穴２に差し込まれている各計装用ケーブル８の被覆１０に食い込ませ、更に、該被覆１０を貫通させてケーブル芯線９の中心部付近まで刺し入れることができるようにしてある。よって、上記のようにして端子台本体１の各ケーブル差込穴２にそれぞれ差し込んだ状態の各計装用ケーブル８の被覆１０に対して上記各ケーブル被覆係止部材６の下端部を食い込ませることで、該各計装用ケーブル８が対応するケーブル差込穴２より抜ける虞を防止できるようにしてある。
【００１９】
上記端子台本体１の背面側には、上記各ケーブル差込穴２の内側に設けた各芯線挿入用ニードル３に個別に接続した導電性部材を設ける。具体的には、たとえば、上記各芯線挿入用ニードル３の後端側を上記各ケーブル差込穴２の奥側壁を貫通させると共に、端子台本体１の背面側に露出する該各芯線挿入用ニードル３の後端部に、銅製やアルミニウム製等の可撓性を備えた導電性部材としての導電性テープ７を個別に接続して設ける。更に、上記各導電性テープ７は、上記芯線挿入用ニードル３の接続個所よりも上方に所要寸法延長させて、該各導電性テープ７の上端部７ａを、上記蓋部材５の下面側に設けた各ケーブル被覆係止部材６のうちの左右方向に対応するものの上端部に個別に接続した構成としてある。
【００２０】
上記各ケーブル差込穴２の芯線挿入用ニードル３及び蓋部材５のケーブル被覆係止部材６ごとに接続した導電性テープ７，７ａを背面側に具備した構成としてなる上記端子台本体１は、図示してないが、２個一組で、たとえば、互いに背面側を合わせるように配置して、該各端子台本体１の背面側に設けてある上記導電性テープ７の左右方向に対応するもの同士を互いに接続して、本発明の端子台装置を構成してあるものとする。
【００２１】
以上の構成としてある本発明の端子台装置を使用する場合は、先ず、上記端子台本体１の各ケーブル差込穴２に、接続を所望する計装用ケーブル８を、そのケーブル端末がケーブル差込穴２の奥側端面に突き当たるまでそれぞれ差し込むようにする。これにより、上記各計装用ケーブル８は、それぞれ対応するケーブル差込穴２の内面にガイドされて該ケーブル差込穴２の軸心方向に沿って挿し込まれるようになることから、該各ケーブル差込穴２に軸心方向に沿って上記各計装用ケーブル８を奥側端面に突き当たるまで挿し込むと、該各ケーブル差込穴２の奥側端面の中央位置より前方に突出させて設けて芯線挿入用ニードル３が、上記各計装用ケーブル８のケーブル芯線９に挿し入れられるようになる。よって、上記各計装用ケーブル８のケーブル芯線９と、上記各芯線挿入用ニードル３が接することで、両者間が通電可能となる。
【００２２】
次いで、上記のようにして端子台本体１の各ケーブル差込穴２に、接続を所望するすべての計装用ケーブル８が差し込まれた状態にて、上記端子台本体１の各貫通孔４に、上記蓋部材５の下面側に設けてある下端が尖ったニードル形状のケーブル被覆係止部材６をそれぞれ挿入するようにして、図１（ハ）に示すように、該蓋部材５を上記端子台本体１の上面に接する位置まで押し付ける。これにより、上記各貫通孔４に挿通された上記各ケーブル被覆係止部材６の下端部が、上記各ケーブル差込穴２の軸心位置まで突出するようになるため、該各ケーブル被覆係止部材６の下端部が、各ケーブル差込穴２に差し込まれている上記各計装用ケーブル８の被覆１０に突き刺さり、更に、該被覆１０を貫通して各計装用ケーブル８のケーブル芯線９の中に刺し込まれるようになる。よって、上記各計装用ケーブル８のケーブル芯線９と、上記各ケーブル被覆係止部材６が接することで、両者間が通電可能となる。
【００２３】
上記のようにして蓋部材５を上記端子台本体１の上面に接するように配置すると、蓋部材５の下面側に取り付けてある上記各ケーブル被覆係止部材６の下端部が、各ケーブル差込穴２に差し込まれている上記各計装用ケーブル８の被覆１０に突き刺さることで、容易には抜けなくなるため、上記蓋部材５が上記端子台本体１の上側から容易に脱落する虞はないが、上記端子台本体１の上面に載置した蓋部材５の所要個所、たとえば、左右方向両端部の２個所あるいは４角部等を、上記端子台本体１の対応する個所にねじ止めするようにして、上記蓋部材５を、端子台本体１の上面側に固定するようにしてもよい。
【００２４】
このように、本発明の端子台装置によれば、接続を所望するすべての計装用ケーブル８を端子台本体１に設けてあるケーブル差込穴２にそれぞれ差し込んだ後、蓋部材５を上記端子台本体１の上に載置して該端子台本体１の上面に接するように押し付けるという作業のみで、上記各計装用ケーブル８を、そのケーブル芯線９をそれぞれ対応するケーブル差込穴２の内部に設けてある各芯線挿入用ニードル３と確実に接触させた状態で端子台本体１に接続することができる。
【００２５】
したがって、各計装用ケーブル８のケーブル端末の被覆１０を剥く作業や、圧着端子をケーブル端末に取り付ける作業を不要にできて、上記端子台本体１に対して各計装用ケーブル８を接続する作業を非常に容易なものとすることができるため、作業者の技量に依存することなく各計装用ケーブル８の端子台本体１に対する接続作業を行わせることができて、該作業に要する手間及び時間を大幅に削減することができる。よって、作業が予定通りに進まない等の種々の問題が生じる虞を未然に防止することが可能となる。
【００２６】
更に、上記構成においては、上記各ケーブル被覆係止部材６を、導体製とすると共に、その下端部を上記端子台本体１の各ケーブル差込穴２に差し込まれている各計装用ケーブル８の被覆１０を貫通させてケーブル芯線９の中心部付近まで刺し込むことができるようにしてあり、且つ該各ケーブル被覆係止用部材６には、上記端子台本体１の各ケーブル差込穴２に設けた各芯線挿入用ニードル３に個別に接続した導電性テープ７の上端部７ａがそれぞれ接続してあるため、上記各計装用ケーブル８のケーブル芯線９と、上記各ケーブル被覆係止部材６との間でも通電を確保することができて、各計装用ケーブル８の端子台本体１に対する接続の確実性をより高めることが可能になる。
【００２７】
更に又、上記端子台本体１における各ケーブル差込穴２を、対辺間の寸法が接続対象となる計装用ケーブル８の外径寸法と同等か又はわずかに大きい寸法の方形としてあるため、該各ケーブル差込穴２の角部に、計装用ケーブル８の外周面との隙間を形成させることができ、該各隙間にて、上記計装用ケーブル８の断面形状の多少の変形を許容することで、上記各ケーブル差込穴２に対する計装用ケーブル８を差し込む作業を容易なものとすることができるようにしてある。更に、上記各ケーブル差込穴２の幅寸法が、そこに差し込む計装用ケーブル８の外形寸法と同等か又はわずかに大きい寸法となることから、上記したように各ケーブル差込穴２に差し込んである各計装用ケーブル８に対して、蓋部材５に設けてある各ケーブル被覆防止部材６の下端部を、被覆１０を貫通させてケーブル芯線９の中心部付近まで刺し込むときに、上記各ケーブル差込穴２の両側面で各計装用ケーブル８を押さえることで、該各計装用ケーブル８の被覆１０やケーブル芯線９がつぶれて拡がったり、各計装用ケーブル８が横に逃げる虞を未然に防止することができる。
【００２８】
次に、図２（イ）（ロ）は本発明の実施の他の形態を示すもので、図１（イ）（ロ）（ハ）に示したと同様の構成において、端子台本体１の各ケーブル差込穴２の奥側端部に設ける芯線挿入部材を、先端の尖った芯線挿入用ニードル３とすることに代えて、各ケーブル差込穴２の奥側端面の形状に対応する方形のプレート１１ａの中央部に、前面側に所要寸法突出する凸部１１ｂを設けてなる形状の芯線挿入部材１１としたものである。
【００２９】
上記芯線挿入部材１１の凸部１１ｂは、たとえば、接続対象となる計装用ケーブル８のケーブル芯線９の径よりもやや小さい直径の半球形状とする。これにより、上記端子台本体１の各ケーブル差込穴２に各計装用ケーブル８を奥側に突き当たるまで差し込むことで、上記芯線挿入部材１１の凸部１１ｂを、図２（ロ）に示すように、上記各計装用ケーブル８のケーブル端末に露出しているケーブル芯線９の先端部に食い込ませることができるようにしてある。
【００３０】
上記各芯線挿入部材１１は、たとえば、プレート１１ａの上端部より屈曲して後方へ延びる屈曲部１１ｃを設けると共に、該屈曲部１１ｃを、上記端子台本体１における上記各ケーブル差込穴２の奥側壁を貫通させ、該端子台本体１の背面側に露出する上記屈曲部１１ｃの後端部に、図１（イ）（ロ）（ハ）に示した導電性テープ７と同様の銅製やアルミニウム製等の可撓性を備えた導電性部材としての導電性テープ７を個別に接続してある。
【００３１】
その他の構成は図１（イ）（ロ）（ハ）に示したものと同様であり、同一のものには同一の符号が付してある。
【００３２】
本実施の形態によっても、接続対象となる各計装用ケーブル８を端子台本体１に設けてあるケーブル差込穴２にそれぞれ差し込んだ後、蓋部材５を上記端子台本体１の上に載置して該端子台本体１の上面に接するように押し付けるという作業のみで、上記各計装用ケーブル８を、そのケーブル芯線９をそれぞれ対応するケーブル差込穴２の内部に設けてある各芯線挿入部材１１と確実に接触させた状態で端子台本体１に接続することができる。
【００３３】
したがって、上記実施の形態と同様の効果を得ることができる。
【００３４】
次いで、図３（イ）（ロ）は本発明の実施の更に他の形態を示すもので、図１（イ）（ロ）（ハ）に示したと同様の構成において、端子台本体１の各貫通孔４に対応させて蓋部材５の下面側に設ける各ケーブル被覆係止部材を、下端の尖ったニードル形状のケーブル被覆係止部材６とすることに代えて、前後方向に扁平した板状とし且つ下端部を下方へ行くにしたがって前後厚み寸法が減少する楔形状としたケーブル被覆係止部材６ａとしたものである。
【００３５】
更に、上記のように下端部を楔形状にしてあることに伴い、上記各ケーブル被覆係止部材６ａの下端部が、計装用ケーブル８のケーブル芯線９に食い込むようになると、該ケーブル芯線９のより線を形成している細い導体が切れる虞が懸念されるため、上記各ケーブル被覆係止部材６ａは、図３（ロ）に示す如く、上記蓋部材５を上記端子台本体１の上面に接するように配置するときに、該端子台本体１の各貫通孔４に挿通される該各ケーブル被覆係止部材６ａの下端部が、上記端子台本体１の各ケーブル差込穴２に差し込まれている各計装用ケーブル８のケーブル芯線９よりも上側に位置する被覆１０に所要寸法食い込むのみで、ケーブル芯線９には達しないように上下寸法が設定してある。
【００３６】
なお、上記端子台本体１に設ける各貫通孔４は、上記各ケーブル被覆係止部材６ａの水平断面形状に対応した前後方向に扁平した矩形状としてある。更に、上記ケーブル被覆係止部材６が、上記端子台本体１のケーブル差込穴２に差し込まれる計装用ケーブル８のケーブル芯線９に食い込まないようにしてあることに鑑みて、本実施の形態では、導電性テープ７は、芯線挿入用ニードル３にのみ接続するようにして、各ケーブル被覆係止部材６ａとの接続を省略してある。更に、上記各ケーブル被覆係止部材６ａは、計装用ケーブル８のケーブル芯線９と通電しなくてよいため、上記計装用ケーブル８の被覆１０に食い込む強度を備えていれば、導体以外の材質製としてもよい。
【００３７】
その他の構成は図１（イ）（ロ）（ハ）に示したものと同様であり、同一のものには同一の符号が付してある。
【００３８】
以上の構成としてある本実施の形態の端子台装置によれば、端子台本体１の各ケーブル差込穴２に接続対象となるすべての計装用ケーブル８のケーブル端末をそのまま差し込んだ後、上記端子台本体１の各貫通孔４に、上記蓋部材５の各ケーブル被覆係止部材６ａをそれぞれ挿入するようにして、図３（ロ）に示すように、該蓋部材５を上記端子台本体１の上面に接する位置まで押し付けると、上記各貫通孔４に挿通されてケーブル芯線９に芯線挿入用ニードル３がそれぞれ挿入されて該各芯線挿入用ニードル３との間で通電可能とされた状態の各計装用ケーブル８の被覆１０に対し、上記各ケーブル被覆係止部材６ａの下端部が所要寸法食い込むようになることで、上記各計装用ケーブル８を、端子台本体１の各ケーブル差込穴２に、抜け落ちを未然に防止した状態で接続することができるようになる。
【００３９】
したがって、本実施の形態によれば、各ケーブル被覆係止部材６ａにより各計装用ケーブル８との通電を確保する構成にはならない点以外は、図１（イ）（ロ）（ハ）の実施の形態と同様の効果を得ることができる。
【００４０】
なお、本発明は、上記実施の形態にのみ限定されるものではなく、端子台本体１の左右方向に設けるケーブル差込穴２の数は、接続対象となる計装用ケーブル８の本数に応じて適宜設定してよい。
【００４１】
上記各ケーブル差込穴２の形状は、方形とすることが加工の容易性等の点から有利であるが、接続対象となる計装用ケーブル８の外径寸法と同等か又はわずかに大きい直径の円に外接する多角形状としてもよく、更には、接続対象となる計装用ケーブル８の外径寸法よりもやや大きな内径寸法の丸穴としてもよい。
【００４２】
蓋部材５の下面側に設ける各ケーブル被覆係止部材６，６ａは、端子台本体１の上面に接するように上記蓋部材５を配置するときに、該端子台本体１の各貫通孔４に挿通させる該各ケーブル被覆係止部材６，６ａの下端部を、上記端子台本体１の各ケーブル差込穴２に差し込んである各計装用ケーブル８の被覆１０に所要寸法食い込ませることができて、該各計装用ケーブル８のケーブル差込穴２からの抜け落ちを防止できるようにしてあれば、水平断面形状は適宜変更してもよく、又、下端部の形状は、下向きの多角錐形状とする等、ニードル形状及び楔形状以外の形状としてもよい。又、上記端子台本体１の上面と各ケーブル差込穴２との間に穿設する各貫通孔４の形状は、上記各ケーブル被覆係止部材の水平断面形状に応じて適宜変更してよい。
【００４３】
上記各実施の形態においては、端子台本体１の各ケーブル差込穴２の奥側に設ける芯線挿入用ニードル３や芯線挿入部材１１に、導電性テープ７を接続して、２個一組で設ける各端子台本体１の導電性テープ７の左右方向に対応するもの同士を互いに接続するものとして示したが、芯線挿入用ニードル３や芯線挿入部材１１に接続するのは、導電性部材であれば、図示した以外の形状のものを用いるようにしてもよい。
【００４４】
端子台本体１と蓋部材５との間に、該蓋部材５の上下方向の移動をガイドするためのガイド機構を設けるようにしてもよい。
【００４５】
計装用ケーブル８以外のケーブルを接続対象とする場合に適用してもよいこと、その他本発明の要旨を逸脱しない範囲内で種々変更を加え得ることは勿論である。
【図面の簡単な説明】
【００４６】
【図１】本発明の端子台装置の実施の一形態を示すもので、（イ）は端子台本体の該略斜視図、（ロ）は（イ）のＡ−Ａ矢視図、（ハ）は端子台本体にケーブルを接続した状態を示す（イ）のＡ−Ａ方向矢視に対応する図である。
【図２】本発明の実施の他の形態を示すもので、（イ）は図１（ロ）に対応する図、（ロ）は図１（ハ）に対応する図である。
【図３】本発明の実施の更に他の形態を示すもので、（イ）は端子台本体の概略斜視図、（ロ）は端子台本体にケーブルを接続した状態のＢ−Ｂ方向矢視図である。
【符号の説明】
【００４７】
１  端子台本体
２  ケーブル差込穴
３  芯線挿入用ニードル（芯線挿入部材）
４  貫通孔
５  蓋部材
６，６ａ  ケーブル被覆係止部材
７  導電性テープ（導電性部材）
８  計装用ケーブル（ケーブル）
９  ケーブル芯線
１０  被覆
１１  芯線挿入部材
【図１】
2010040419.tif 000003
【図２】
2010040419.tif 000004
【図３】
2010040419.tif 000005